(57)【特許請求の範囲】
【請求項１】
操作ハンドルの操作によって打球供給装置から発射レールに供給されたパチンコ球を遊技盤に向けて発射する直線往復動型の発射ソレノイドを備え、遊技盤の取付枠に装着されるパチンコ遊技機用打球発射装置において、前記発射ソレノイドを支持枠に装着し、前記取付枠に備えられた取り付けベースに該支持枠の一端を軸支すると共に調整摘みを設け、該調整摘みは偏心円盤を有し、該偏心円盤で前記支持枠を接触支持させると共に、調整摘みを回動することにより発射ソレノイドの上下方向の調整を可能としたことを特徴とするパチンコ遊技機用打球発射装置。
【請求項２】
前記調整摘みに鋸歯状の係止部を同心的に設け、該係止部に爪を係合させて調整摘みを一方向のみに回動するようにしたことを特徴とする請求項１に記載のパチンコ遊技機用打球発射装置。
【請求項３】
前記取付枠に取付凹部を形成し、前記支持枠および調整摘みを取付ベースに取付けユニット化し、前記取付凹部に取付けるようにしたことを特徴とする請求項１に記載のパチンコ遊技機用打球発射装置。
【請求項４】
前記取付ベースに発射レールの取付孔および位置決めを設けたことを特徴とする請求項３記載のパチンコ遊技機用打球発射装置。
【発明の詳細な説明】
【０００１】
【発明の属する技術分野】
本発明は、パチンコ遊技機の打球発射装置に関するもので、特に直線往復動型ソレノイド駆動式の打球発射装置に関するものである。
【０００２】
【従来の技術】
従来パチンコ遊技機の打球発射装置は、耐久性に優れた小型の打球発射装置が望まれ、例えば実開平６−５２８８４号公報に開示される直線往復動型ソレノイド駆動式の打球発射装置があり、発射レールと直線往復動型ソレノイドを遊技盤の取付枠に個々に取付けるようにしていた。
【０００３】
【発明が解決しようとする課題】
ところで上記した打球発射装置は、発射レールと直線往復動型ソレノイドを個々に取付けるようにしていたため、互いの最適な位置関係に取付けるのに手間取っていた。また、両者を取付ける際にソレノイドの打球杆と発射レールとの角度に微妙な誤差が生じてしまい、一定の球飛びにならずパチンコ遊技機毎に球飛びにばらつきが生じていた。
【０００４】
また、ホールにおいては打球発射装置を酷使するため、ソレノイドの打球杆と発射レールとの角度がずれたり槌頭が磨耗したりして、発射レールのパチンコ球を的確に打ち出すことができず、球飛びが悪くなったり不安定な球飛びとなって、快適な遊技ができなくなるという問題があった。
【０００５】
そこで本発明は上記課題を解決し、常に正確かつ良好な球飛びができるように調節可能にした打球発射装置を提供しようとするものである。
【０００６】
【課題を解決するための手段】
上記目的を達成するために本発明に係るパチンコ遊技機用打球発射装置は、操作ハンドルの操作によって打球供給装置から発射レールに供給されたパチンコ球を遊技盤に向けて発射する直線往復動型の発射ソレノイドを備え、遊技盤の取付枠に装着されるパチンコ遊技機用打球発射装置において、前記発射ソレノイドを支持枠に装着し、前記取付枠に該支持枠の一端を軸支すると共に調整摘みを設け、該調整摘みは偏心円盤を有し、該偏心円盤で前記支持枠を接触支持させると共に、調整摘みを回動することにより発射ソレノイドの上下方向の調整を可能とした。また、前記支持枠にガイド枠を設けるのが好ましく、該ガイド枠を前記偏心円盤で支持するようにするのがよい。
【０００７】
また、操作ハンドルの操作によって打球供給装置から発射レールに供給されたパチンコ球を遊技盤に向けて発射する直線往復動型の発射ソレノイドを備え、遊技盤の取付枠に装着されるパチンコ遊技機用打球発射装置において、前記発射ソレノイドを支持枠に装着し、前記取付枠に該支持枠の一端を弾性部材を介して軸ピンにより軸支すると共に、該軸ピンに調整ギヤを支持し、該調整ギヤにはガイド突起が設けられ、一方取付枠には該ガイド突起の対向位置に漸次高くなるガイドリブが円周状に設けられ、調整摘みを回動することにより発射ソレノイドの前後方向の調整を可能とした。
【０００８】
前記調整摘みに鋸歯状の係止部を同心的に設け、該係止部に爪を係合させて調整摘みを一方向のみに回動するようにした。
【０００９】
前記取付枠に取付凹部を形成し、前記支持枠および調整摘みを取付ベースに取付けユニット化し、前記取付凹部に取付けるようにした。
【００１０】
前記取付ベースに発射レールの取付孔および位置決めを設けた。
【００１１】
前記支持枠の軸支部を発射レール側に設けるようにするのが好ましく、特に発射レールのほぼ発射位置に位置するのがよい。
【００１２】
前記弾性部材は、取付枠または取付ベースに切り溝を設けることにより形成するのが好ましい。また、ウレタン等の弾性樹脂やスプリングでもよい。
【００１３】
【発明の実施の形態】
次に図面に従い本発明の実施の形態を説明する。図１はガラス扉枠と前面板とを開放した状態を示すパチンコ遊技機の下部部分の斜視図である。図において、１はパチンコ遊技機の機枠であり、該機枠１の前面に開口２を有する前面枠３が開閉自在に取付けられている。該前面枠３の開口２には、ガラス扉枠４が開閉自在にに装着され、その下方に前面板５が着脱可能に取付けられ、該前面板５の前面に打球を供給する上部球受皿６が装着され、後面に打球供給装置７が設けらている。また前面枠３の下方には上部球受皿６の余剰球を貯留する下部球受皿８および打球力調節用の操作ハンドル９が設けられる。
【００１４】
前記前面枠３の後面には取付枠１０を介して遊技盤１１が装着されており、その前面にガイドレール１２が配設され、ファール球落下口１３を介して取付枠１０に発射レール１４および本発明に係る打球発射装置１５が取着される。
【００１５】
前記打球供給装置７は、図１１に示すように前面板５に取付けられるケース体１６と、発射レール１４に打球を１個ずつ供給する球送り部材１７と、該球送り部材１７を作動する電磁石１８とで構成される。ケース体１６には上部球受皿６のパチンコ球を１列に整列して流下する傾斜樋１９が設けられ、その下流端に球送り部材１７が回動自在に設けられる。球送り部材１７は、図１２に示すように傾斜樋１９の最先のパチンコ球を支持する球支持部２０と回動によってそのパチンコ球を受入れる球受部２１が形成され、下端部一側には鉄等の強磁性体金属からなる板状の磁着片２２が一体的にインサート成形されている。前記電磁石１８は、電磁コイルを巻回した鉄芯２３を前記磁着片２２と対峙させるようにケース体１６に固定される。２４は球送り部材１７の回動規制部で、該回動規制部２４により電磁石１８の鉄芯２３に球送り部材１７の磁着片２２とが直接接触しないようにして、磁着片２２が磁気を帯びないようにしている。
【００１６】
前記操作ハンドル９は、図１４に示すように前面枠３の前面に固定される握り部２５と、該握り部２５に回動自在に設けられる操作レバー２６とを備える。握り部２５は、前面枠３に固着される後半体２５ａと、該後半体２５ａに固定的に結合される前半体２５ｂとの二部材で構成される。また、前半体２５ｂ内にはボリュームスイッチ２７が組み込まれ、操作レバー２６の回動によってボリュームスイッチ２７がボリューム調整され、打球の発射力が調節される。
【００１７】
前記打球発射装置１５は、図４に示すように箱状の取付ベース２８に駆動源である直線往復動式の発射ソレノイド２９が設置され、取付枠１０の取付凹部３０に収納されている。前記発射ソレノイド２９は、長手方向にプランジャ式の打球杆３１が挿通支持されており、先端にゴム製の槌頭３２が設けられ、後端のストッパ３３および先端側のストッパ３４によって往復動が規制されると共に、衝撃が緩和するようになっている。また、発射ソレノイド２９は、図３に示すように支持板３５にＬ型金具を介してビス着されており、該支持板３５下面の案内溝３６，３６を支持枠３７の突条３８，３８に沿ってスライドし、突片３９，３９により支持板３５を押え、支持枠３７の下面からゴム製の抜け止め部材４０，４０によって支持板３５を固定している。このとき、抜け止め部材４０，４０は発射ソレノイド２９の振動を吸収する働きを兼ねる。
【００１８】
このように打球発射装置１５が装備されたパチンコ遊技機は、遊技者が操作ハンドル９の操作レバー２６を回動してボリュームスイッチ２７のボリューム調整をすることによりパルス信号が出力され、このパルス信号により打球供給装置７の電磁石１８に電流が流されて該電磁石１８が励磁され、図１３に示したように鉄芯２３に磁着片２２が吸着され該送り部材１７が後傾状に回転動することで、球支持部２０で支持された最先端のパチンコ球Ｂが該送り部材１７の球受部２１に受入れられ、次いで電磁石１８の励磁が解かれ自重で図１２の状態に戻ったとき、該パチンコ球Ｂが発射レール１４の発射位置１４ａに送給される。そして、その作動に同期して打球発射装置１５の発射ソレノイド２９を作動させ、打球杆３１を反復動させ、発射レール１４の発射位置１４ａのパチンコ球Ｂを遊技盤１１に打ち出すようになっている。
【００１９】
しかして、打球発射装置１５には、発射ソレノイド２９の角度調節機構が設けられ、上下調節および前後調節が可能となっている。具体的には、図２および図５に示すように、支持枠３７は一端に設けた軸ピン４１を取付ベース２８の軸孔４２に挿通することで回動自在に支持される。また、取付ベース２８には第１調整摘み４３が鋸刃状の係止部４４と爪４５により左方向にのみ回転可能に軸支４６されている。該第１調整摘み４３には偏心円盤４７が一体に形成されており、該偏心円盤４７が支持枠３７の上方に設けられたガイド枠４８を接触支持するようになっている。また、支持枠３７のピン４９を取付ベース２８に形成した円弧長孔５０に挿通することで、支持枠３７の回動を規制している。
【００２０】
また、取付ベース２８には切り溝５１によって弾性を付与された支持突起５２，５２が複数設けられ、該複数の支持突起５２，５２に支持枠３７裏面が接触している。取付ベース２８の裏面側には、図７に示すように前記軸孔４２を中心としたギア収納部５３が形成され、調整ギヤ５４が前記軸ピン４１に軸支され、Ｅリング５５で抜け止め収納されている。そして、調整ギヤ５４に歯合して第２調整摘み５６が軸支５７されている。該第２調整摘み５６の外周には鋸刃状の係止部５８が設けられ、カバー板５９に設けた爪６０により右方向にのみ回転可能に軸支５７されている。前記ギア収納部５３には軸孔４２を中心として４等分した鋸刃状のガイドリブ６１が設けられ、該ガイドリブ６１に対向位置して調整ギヤ５４に設けたガイド突起６２，６２が鋸刃状のガイドリブ６１上を移動して支持枠３７が繰り返し前後方向に動くようになっている。なお、切り溝５１によって弾性を付与された支持突起５２，５２の代りに、取付ベース２８と支持枠３７との間にウレタン等の弾性樹脂部材またはスプリング等の弾性体を介在させるようにしてもよい。６３はカバー板５９に設けられた発射レール１４の取付用のビス孔、６４は位置決め用の突起である。
【００２１】
以上のように構成される打球発射装置１５は、発射ソレノイド２９を固着した支持板３５を支持枠３７に装着し、該支持枠３７の軸ピン４１を取付ベース２８の軸孔４２に挿通し、取付ベース２８のギア収納部５３の調整ギヤ５４を軸支して、Ｅリング５５で抜け止めされ、支持枠３７が支持突起５２，５２に接触して回動自在に装着される。そして、第１調整摘み４３を支持枠３７に軸支４６して偏心円盤４７によりガイド枠４８を接触支持させ、第２調整摘み５６を調整ギヤ５４に歯合して軸支５７することによって組立られる。
【００２２】
そして、発射レール１４の始端を位置決め用の突起６４に合致させ、ビス孔６３にビス着６５することによって、発射ソレノイド２９の打球杆３１と発射レール１４とが設定位置に取着される。このとき、前記支持枠３７の軸ピン４１位置は、発射レール１４の発射位置１４ａとほぼ一致した位置にある。このように発射レール１４を取着した打球発射装置１５は、取付枠１０の取付凹部３０に収納し設置される。
【００２３】
次に、この打球発射装置１５の発射ソレノイド２９の角度調節を説明する。まず上下方向の調節は、第１調整摘み４３を図２矢印（イ）方向に回動すると、鋸刃状の係止部４４と爪４５により偏心円盤４７が回動固定し、それに伴い該偏心円盤４７が接触支持するガイド枠４８によって支持枠３７が軸ピン４１を支軸として上下方向に回動する。具体的には図８（Ａ）に示すように、発射レール１４が水平線に対して２４．５度の発射角で取付けられており、発射ソレノイド２９は、ガイド枠が偏心円盤４７の最も小径の位置で接触している状態で打球杆３１が水平線に対して２５度の角度で取付けられる。そして、第１調整摘み４３を９０度回動すると、図８（Ｂ）に示すように偏心円盤４７により支持枠３７が上動回動し、打球杆３１の取付角度が水平線に対して２３．１４度となる。さらに、第１調整摘み４３を９０度回動すると、偏心円盤４７の最も大径の位置となり、図８（Ｃ）に示すように打球杆３１の取付角度が水平線に対して２１．２度となる。それ以降は打球杆３１の取付角度が大きくなり、第１調整摘み４３を９０度回動した時点で、図８（Ｄ）に示すように打球杆３１の取付角度が水平線に対して２３度となり、以後（Ａ）〜（Ｄ）の状態を繰り返す。
【００２４】
このように、第１調整摘み４３を回動するだけで容易に打球杆３１の取付角度が調節でき、しかも支持枠３７の軸ピン４１がほぼ発射レール１４の発射位置１４ａに位置しているため槌頭３２の動きも少なく、細かな調整が可能となる。また、鋸刃状の係止部４４を細かくすることで、より微妙な調整が可能となる。
【００２５】
一方前後方向の調節は、第２調整摘み５６を図２矢印（ロ）方向に回動すると、鋸刃状の係止部５８と爪６０により回動固定し、それに伴い第２調整摘み５６に歯合した調整ギヤ５４が回動する。このとき調整ギヤ５４に設けたガイド突起６２，６２が鋸刃状のガイドリブ６１上を移動することにより支持枠３７が前後方向の移動を繰り返す。具体的には、図９（Ａ）に示すように調整ギヤ５４に設けたガイド突起６２，６２が鋸刃状のガイドリブ６１の最も低い位置にあり、発射レール１４の取付レベルから打球杆３１までの距離が９ｍｍに設定されている。そして、第２調整摘み５６を回動すると、図９（Ｂ）に示すようにガイド突起６２，６２が鋸刃状のガイドリブ６１を上り、調整ギヤ５４を後方に移動させる。それに伴い軸ピン４１が引張られ、同時に支持枠３７が切り溝５１によって弾性を付与された支持突起５２，５２を押えながら移動し、発射レール１４の取付レベルから打球杆３１までの距離が８．５ｍｍとなる。そしてさらに第２調整摘み５６を回動すると、図９（Ｃ）に示すようにガイド突起６２，６２が鋸刃状のガイドリブ６１の最も高い位置に移動し、支持枠３７がさらに支持突起５２，５２を押えながら後方に移動し、発射レール１４の取付レベルから打球杆３１までの距離が７．８ｍｍとなる。そしてさらに第２調整摘み５６を回動すると、図９（Ａ）の状態に戻り以後（Ａ）〜（Ｃ）の状態を繰り返す。
【００２６】
このように、第２調整摘み５６を回動するだけで容易に打球杆３１の前後位置が調節できる。また、鋸刃状の係止部５８を細かくすることで、細かな調整が可能となる。なお、図１０に示すように軸孔４２を中心として２等分のガイドリブ６１にすることで、より微妙な前後方向の調整が可能となる。
【００２７】
以上のことから、打球発射装置１５が酷使され、槌頭３２が磨耗するなどして、球飛びにばらつきが起きても、調整摘み４３，５６を回動するだけで三次元的な調整が可能となる。
【００２８】
【発明の効果】
以上説明したように本発明のパチンコ遊技機用打球発射装置は、発射ソレノイドを支持枠に装着し、遊技盤の取付枠に該支持枠の一端を軸支すると共に調整摘みを設け、該調整摘みに偏心円盤を設け、該偏心円盤で前記支持枠を接触支持させるようにしたので、調整摘みを回動するだけで容易に打球杆の上下位置が調節できるようにした。また、支持枠の軸ピンに調整ギヤを支持し、該調整ギヤに設けたガイド突起と、取付枠に設けた漸次高くなるガイドリブによって、調整ギヤに歯合した調整摘みを回動することにより発射ソレノイドの前後方向の調整を可能とした。このことから、１つの軸で上下，前後の複数の調節ができ、簡単に正確かつ良好な球飛びができるように調節できる。
【図面の簡単な説明】
【図１】ガラス扉枠と前面板とを開放した状態を示すパチンコ遊技機の下部部分の斜視図である。
【図２】本発明に係る打球発射装置部分の正面図である。
【図３】打球発射装置の分解斜視図である。
【図４】打球発射装置を取付枠から外した状態の斜視図である。
【図５】上下調節機構部分の断面図である。
【図６】前後調節機構部分の断面図である。
【図７】取付ベースの要部裏面斜視図である。
【図８】（Ａ）〜（Ｄ）は上下調節の作用説明図である。
【図９】（Ａ）〜（Ｃ）は前後調節の作用説明図である。
【図１０】他の実施の形態のガイドリブの斜視図である。
【図１１】打球供給装置の斜視図である。
【図１２】打球供給装置の断面図である。
【図１３】打球供給装置の作用を示す断面図である。
【図１４】操作ハンドルの断面図である。
【符号の説明】
７              打球供給装置
９              操作ハンドル
１０            取付枠
１１            遊技盤
１４            発射レール
１５            打球発射装置
２９            発射ソレノイド
３０            取付凹部
３７            支持枠
４１            軸ピン
４３            第１調整摘み
４４，５８      係止部
４５，６０      爪
４７            偏心円盤
５２            支持突起（弾性部材）
５３            ガイドリブ
５４            調整ギヤ
５６            第２調整摘み
６２            ガイド突起
６３            取付孔
６４            位置決め
【図１】
0004456685.tif 000002
【図２】
0004456685.tif 000003
【図３】
0004456685.tif 000004
【図４】
0004456685.tif 000005
【図５】
0004456685.tif 000006
【図６】
0004456685.tif 000007
【図７】
0004456685.tif 000008
【図８】
0004456685.tif 000009
【図９】
0004456685.tif 000010
【図１０】
0004456685.tif 000011
【図１１】
0004456685.tif 000012
【図１２】
0004456685.tif 000013
【図１３】
0004456685.tif 000014
【図１４】
0004456685.tif 000015